(57)【要約】【課題】送信先に応じた画像処理を行って、画像を送信することができるデジタルカメラを提供することを目的とする。【解決手段】各種サービスを提供するサーバ・コンピュータに接続して送信情報としての当該サービスを提供するアドレスを取得すると共に、当該サービスが要求する画像の条件を取得し、メモリカードに予め記憶し（Ｐ１）、該メモリカードをデジタルカメラに装填してメモリカードに撮影画像を記憶する（Ｐ２）。そして、メモリカードに記憶された複数の送信情報の中から、サービスを受けようとする送信先に対応する送信情報を選択すると共に、送信する画像データを選択し（Ｐ３）、選択された送信情報及び画像の条件をメモリカードから読み取って、読み取った画像の条件に基づいて、選択された画像データに画像処理を実行すると共に（Ｐ４）、送信情報に基づいて携帯端末を用いて画像処理された画像データを送信先に送信する（Ｐ５）。【選択図】　　　　図５
2004040601.tif 000002
【特許請求の範囲】
【請求項１】
撮影によって得られる画像データに基づいたサービスを提供するコンピュータへ前記画像データを送信することが可能なデジタルカメラであって、
送信先の前記コンピュータを特定する送信情報及び該送信先で処理可能な画像の条件がそれぞれ対応して予め記録された着脱可能な記録媒体と、
前記送信情報及び前記画像の条件を読み取る読取手段と、
前記読取手段によって読み取った前記画像の条件に基づいて、前記画像の条件に適合するように、前記画像データに対して画像処理する処理手段と、
前記読取手段によって読み取った前記送信情報に応じて、前記処理手段によって画像処理された画像データを送信する送信手段と、
を含むことを特徴とするデジタルカメラ。
【請求項２】
前記記憶媒体は、複数の送信情報及び該送信情報に対応する画像の条件を複数記憶し、
前記記憶手段に記憶された前記送信情報及び前記画像の条件を選択する選択手段をさらに含むことを特徴とする請求項１に記載のデジタルカメラ。
【請求項３】
前記記憶媒体は、単一の前記送信情報及び前記画像の条件を記憶し、送信先に応じて前記記憶媒体が着脱されることを特徴とする請求項１に記載のデジタルカメラ。
【発明の詳細な説明】
【０００１】
【発明の属する技術分野】
本発明は、デジタルカメラにかかり、特に、画像撮影機能、撮影画像の蓄積機能、及び撮影画像の送信機能を有するデジタルカメラに関する。
【０００２】
【従来の技術】
簡便に撮影可能なＣＣＤ撮像素子などを有した撮影装置として、デジタルカメラが数多く流通している。デジタルカメラは、その撮影時には、レリーズスイッチを操作することをトリガとして、ＣＣＤ撮像素子などで光量に応じた電荷（光電変換）を画素毎に読み取って、画像データに変換した後に、撮影画像を画像データとして磁気記録媒体などの記録媒体に記録している。
【０００３】
この種のデジタルカメラとして、画像添付メール等により、インターネット上に画像を送信するデジタルカメラや、記録した画像の画素数をリサイズして記録するデジタルカメラなどが提案されている。
【０００４】
また、画像データの送信に関しては、携帯電話からのデータ量削減指示に基づいて、画像をリサイズして送信する画像通信システム（特開平１１−２１６０５８号公報）などの技術も提案されている。
【０００５】
【発明が解決しようとする課題】
最近では、デジタルカメラで撮影できる画像サイズは、ＣＣＤ等の撮像素子の進歩に伴い日進月歩で増加する傾向にあるが、該撮像素子によって撮影した画像を送信利用しようとした場合、大きいサイズの画像送信には、通信時間や通信コストが増大するため、通信速度に応じて画像をリサイズするして送信することが多い。
【０００６】
また、送信先のサーバ等の画像受信側では、画像を保管するための記録領域の増大を避けたい、あるいは画像を扱うアプリケーションの制約等によって画像サイズを規定することを目的として、受信する画像サイズに制約を設けることが広く行われている。そして、個々のサーバ毎にそれぞれ異なるサイズとされ、統一されていない。
【０００７】
従来のデジタルカメラや上述の特開平１１−２１６０５８号公報に記載の技術では、携帯電話等の通信手段を介して、画像サーバ等に画像を送信する際には、カメラ固有のリサイズ画像しか送信できない、という問題がある。
【０００８】
また、相手先に適したサイズの画像を送信するためには、携帯電話等を用いてリサイズを指示して、通信手段によって制御するしかなく、個別の制約を設けている複数のサーバに送信することができない、または携帯電話等で入力設定する必要があり不便である、という問題がある。
【０００９】
本発明は、上記問題を解決すべく成されたもので、送信先に応じた画像処理を行って、画像を送信することができるデジタルカメラを提供することを目的とする。
【００１０】
【課題を解決するための手段】
上記目的を達成するために請求項１に記載の発明は、撮影によって得られる画像データに基づいたサービスを提供するコンピュータへ前記画像データを送信することが可能なデジタルカメラであって、送信先の前記コンピュータを特定する送信情報及び該送信先で処理可能な画像の条件がそれぞれ対応して予め記録された着脱可能な記録媒体と、前記送信情報及び前記画像の条件を読み取る読取手段と、前記読取手段によって読み取った前記画像の条件に基づいて、前記画像の条件に適合するように、前記画像データに対して画像処理する処理手段と、前記読取手段によって読み取った前記送信情報に応じて、前記処理手段によって画像処理された画像データを送信する送信手段と、を含むことを特徴としている。
【００１１】
請求項１に記載の発明によれば、着脱可能な記録媒体には、撮影によって得られる画像データに基づいたサービスを提供するコンピュータを特定する送信情報及び該送信先で処理可能な画像の条件がそれぞれ対応して予め記憶されている。例えば、コンピュータが提供するサービスとしては、画像データに基づいてプリントを作成するプリントサービスや、画像データに基づいてコンピュータ画面に用いる壁紙データを作成する壁紙変換サービス等のサービスが挙げられ、着脱可能な記録媒体には、これらのサービスを提供するコンピュータを特定するアドレス等の送信情報と、当該サービスを受けるための画像サイズやファイル形式等の送信先によって制約される画像の条件が予め記憶される。
【００１２】
読取手段では、記録媒体に記録された送信情報及び該送信情報に対応する画像の条件が読み取られ、処理手段では、読取手段によって読み取られた画像の条件に基づいて、該画像の条件に適合するように、撮影によって得られる画像データに対して画像処理がなされる。例えば、送信先が要求するファイル形式や、送信先が要求する画像サイズに撮影によって得られる画像データに変換される。
【００１３】
そして、送信手段では、読取手段によって読み取った送信情報に応じて、処理手段によって画像処理された画像デーが送信される。例えば、携帯電話等の通信機器を送信手段として適用して、画像処理された画像データを送信することができる。
【００１４】
すなわち、送信先に応じた画像処理を自動的に行って、画像を送信することができる。
【００１５】
従って、送信先が要求する画像が送信されるので、コンピュータが提供する各種サービスを受けることができる。
【００１６】
請求項２に記載の発明は、請求項１に記載の発明において、前記記憶媒体は、複数の送信情報及び該送信情報に対応する画像の条件を複数記憶し、前記記憶手段に記憶された前記送信情報及び前記画像の条件を選択する選択手段をさらに含むことを特徴としている。
【００１７】
請求項２に記載の発明によれば、請求項１に記載の発明において、記憶手段には、複数の送信情報及び該送信情報に対応する画像の条件が記憶される。そして、選択手段をさらに含むことによって、送信先を選択することが可能となる。すなわち、サービスを提供するコンピュータが複数存在し、各コンピュータが要求する画像の条件が異なっていても、送信情報及び画像の条件が複数記憶された中から、選択手段によって選択することによって、各種サービスを受けることが可能となる。
【００１８】
請求項３に記載の発明は、請求項１に記載の発明において、前記記憶媒体は、単一の前記送信情報及び前記画像の条件を記憶し、送信先に応じて前記記憶媒体が着脱されることを特徴としている。
【００１９】
請求項３に記載の発明によれば、請求項１に記載の発明において、記憶媒体に、谷津の送信情報及び画像の条件を記憶して、複数の記憶媒体毎に送信情報及び画像の条件を記憶すれば、送信先に応じて記憶媒体を着脱することによって、各種サービスを受けることが可能となる。
【００２０】
なお、上記の発明は、以下の発明とすることができる。すなわち、前記処理手段によって画像処理する前記画像データを設定する設定手段をさらに含むことを特徴とする請求項１乃至請求項３の何れか１項に記載のデジタルカメラ。
【００２１】
上記発明によれば、設定手段をさらに含むことによって、サービスを受けるための画像データを設定することが可能となる。
【００２２】
【発明の実施の形態】
以下、図面を参照して本発明の実施の形態の一例を詳細に説明する。本実施の形態は、コンピュータやＰＤＡ端末等が接続されたネットワークに携帯端末等の通信手段を介して接続されたデジタルカメラに、本発明を適用したものである。
【００２３】
図１には、本発明の実施の形態に係わるデジタルカメラ１０が接続されたネットワーク７８の概略構成が示されている。
【００２４】
図１に示すように、ネットワーク７８には、モデム、ルータ、ＴＡ（ターミナルアダプタ：Ｔｅｒｍｉｎａｌ　Ａｄａｐｔｅｒ）等の接続装置８６を介して、各々同一または異なるユーザが所有する複数のコンピュータ８８、９０が接続されている。
【００２５】
ネットワーク７８は、例えば、インターネットやその他の小規模ネットワークとしてのＬＡＮ（Ｌｏｃａｌ　Ａｒｅａ　Ｎｅｔｗｏｒｋ）で代表されるネットワークを適用可能である。
【００２６】
また、本実施の形態では、ネットワーク７８は、ネットワーク７８に各国又は各地域の電話会社が構築・提供する公衆電話網などで代表される通信網９２を含んで構成される。通信網９２には、例えば、ＰＳＴＮ（Ｐｕｂｌｉｃ　Ｓｗｉｔｃｈｅｄ　Ｔｅｌｅｐｈｏｎｅ　Ｎｅｔｗｏｒｋ）やＩＳＤＮ（Ｉｎｔｅｇｒａｔｅｄ　Ｓｅｒｖｉｃｅ　Ｄｉｇｉｔａｌ　Ｎｅｔｗｏｒｋ）が含まれる。また、通信網９２として、さらにＰＤＣ（Ｐｅｒｓｏｎａｌ　Ｄｉｇｉｔａｌ　Ｃｅｌｌｕｌａｒ）やＰＨＳ（Ｐｅｒｓｏｎａｌ　Ｈａｎｄｙ−Ｐｈｏｎｅ　Ｓｙｓｔｅｍ）など各種形式の無線電話網を含むことができる。ネットワーク７８と通信網９２とは、ゲートウエイ・システム９４によって相互接続される。
【００２７】
通信網９２は、携帯端末９６に対するデータの送受信機能を有する基地局９８を備えている。これによって、携帯端末９６は、通信網９２を介して他の携帯端末への通信・または通信網９２、ゲートウエイ・システム９４及びネットワーク７８を介して他の端末やサーバに対する通信が可能となる。詳細は後述するが、本実施の形態では、携帯端末９６はデジタルカメラ１０で撮影することによって得られる画像データを、各種サービスを提供するサーバコンピュータ８８へ送信するために用いるものである。また、図１では、携帯端末９６とデジタルカメラ１０とを有線で接続して示すが、ブルートゥース等のように無線で接続するようにしてもよい。
【００２８】
なお、複数のコンピュータ８８、９０は各々サーバ・コンピュータとして機能するコンピュータ８８と、クライアント・コンピュータとして機能するコンピュータ９０がある。
【００２９】
また、本実施の形態では、ネットワーク７８としてインターネットを適用した場合を説明する。この場合、複数のコンピュータ８８のうち少なくとも１つのコンピュータは、ＷＷＷ（Ｗｏｒｌｄ　Ｗｉｄｅ　Ｗｅｂ）サーバとして機能させることができ、また他のマシンはＷＷＷクライアントとして機能させることもできる。
【００３０】
詳細には、各コンピュータには、ＷＷＷブラウザがインストールされており、このＷＷＷブラウザを起動することにより、ネットワーク７８を介してサーバ・コンピュータ８８に任意にアクセス可能となる。このとき、アクセス位置（アクセス先のコンピュータの位置、及びコンピュータ内の情報の位置で構成されるデータ）は、ＵＲＬ（Ｕｎｉｆｏｒｍ　Ｒｅｓｏｕｒｃｅ　Ｌｏｃａｔｏｒ）で指定される。
【００３１】
これらのコンピュータは、他のコンピュータからアクセス要求があった場合、ＵＲＬで指定された位置にあるデータを、ネットワーク７８を介して、アクセス元のコンピュータへ返信する。このとき、データは一般に、ＨＴＴＰ（Ｈｙｐｅｒ　Ｔｅｘｔ　Ｔｒａｎｓｆｅｒ　Ｐｒｏｔｏｃｏｌ）に従って転送される。
【００３２】
なお、これらのコンピュータの識別には、ＩＰ（Ｉｎｔｅｒｎｅｔ　Ｐｒｏｔｏｃｏｌ）アドレスが用いられる。また、携帯端末９６やクライアント・コンピュータ９０等の識別には、ユーザ自身の入力や、予め定められているコード等のユーザＩＤ等を用いることができる。
【００３３】
また、複数のコンピュータ８８、９０は、ＣＰＵ、ＲＯＭ、ＲＡＭ、Ｉ／Ｏ、及びキーボード等の入力装置やモニタ等の表示装置等の各種周辺装置を含む一般的なコンピュータ構成であるので、詳細な説明を省略する。
【００３４】
続いて、本発明の実施の形態に係わるデジタルカメラ１０の構成について説明する。
【００３５】
図２（Ａ）、（Ｂ）に示すように、デジタルカメラ１０の本体１２は略箱型で、正面から見て左側に、本体１２の把持を容易とするための突起（把持部）が形成された形状とされている。本体１２の正面側中央にはレンズ１４が取り付けられた鏡筒１５が設けられており、本体１２のレンズ１４上方には、低照度での撮影等の場合に補助光を発するためのストロボ１８、ユーザが撮影範囲等を目視で確認するための光学ファインダ１６が取り付けられている。
【００３６】
また、ストロボ１８の近傍の位置には、ストロボ発光時に被写体で反射して戻ってきたストロボ光の光量を検出するストロボ受光センサにストロボ光を導くためのストロボ受光窓３８、及び内蔵されたＡＥセンサに光を導くためのＡＥ受光窓４０が備えられている。
【００３７】
本体１２の上面には、正面から見て右側に電源スイッチ２０が、左側（把持部に対応する位置）にレリーズスイッチ２２が各々設けられており、本体１２の正面から見て右側面には、メモリカード（図示省略）を装填可能なスロット２４が設けられている。すなわち、スロット２４を介してメモリカードへのアクセス（メモリカード内のデータの読み取り及びメモリカードへのデータの書き込み）を行うことができる。
【００３８】
また、デジタルカメラ１０の正面から見て右側面には、このデジタルカメラ１０に内蔵に設けられた内蔵メモリやスロット２４に装填されるメモリカードに記録された画像データを外部に送出するためのＵＳＢ（Ｕｎｉｖｅｒｓａｌ　Ｓｅｒｉａｌ　Ｂｕｓ）ケーブルが接続されるＵＳＢ端子４２、及び内蔵メモリやメモリカードに記録された画像データを、携帯端末９６を使用して外部に送信において、携帯端末９６との接続時に使用される携帯端末用端子４４が備えられている。すなわち、該携帯端末用端子４４に携帯端末９６が接続されるようになっている。
【００３９】
更に、携帯端末用端子４４の下方には、交流電源から電源を得るためのＡＣアダプタを接続するＡＣアダプタ接続口２８が設けられており、交流電源をデジタルカメラ１０に供給可能なように構成されている。
【００４０】
また、図２（Ｂ）に示すように、本体１２の背面には、透過型液晶（半透過型液晶でもよい）からなるカラーディスプレイ２６が設けられており、ディスプレイ２６は、蛍光管やＬＥＤ等によって構成されるバックライトを備えた構成とされている。なお、ディスプレイ２６は光学ファインダ１６の機能も有する。
【００４１】
本体１２の背面には、向かって右側に、選択スイッチ３４、メニュースイッチ３０、実行／画面切換スイッチ３２、及びキャンセルスイッチ３６が設けられている。なお、選択スイッチ３４は、メニュースイッチ３０を押下することによって表示されたメニュー画面等のモード等を選択するためのスイッチであり、その実行は実行／画面切換スイッチ３２で行う。また、キャンセルスイッチ３６は種々のモード等をキャンセルするためのスイッチである。
【００４２】
さらに、本体１２の背面には、撮影モードを切り替える撮影モード切替スイッチ８２が設けられており、該撮影モード切替スイッチ８２を操作することによって、静止画を撮影する静止画撮影モードと、動画を撮影する動画撮影モードと、静止画撮影と動画撮影を同時に行う同時撮影モードと、の切り替えを行うようになっている。
【００４３】
図３にはデジタルカメラ１０の電気系の構成が示されている。レンズ１４は、詳しくはズームレンズ（焦点距離可変レンズ）からなり、ズーム機構は駆動回路４６によって駆動される。また、オートフォーカス（ＡＦ）機構４７も備え、ＡＦ機構４７も同様に駆動回路４６によって駆動される。なお、ズームレンズに代えて、ＡＦ機構４７のみを備えた焦点距離可変レンズを用いてもよい。
【００４４】
本体１２の内部におけるレンズ１４の焦点位置に相当する位置には、撮影手段としてのエリアＣＣＤセンサ等で構成される撮像素子５０が配置されており、被写体を反射してレンズ１４に入射された光は撮像素子５０の受光面に結像される。撮像素子５０は、受光面上にマトリクス状に配列された多数個の光電変換セルの各々における受光量を表すアナログ信号を画像信号として出力する。撮像素子５０は、駆動回路４６に接続されているタイミング信号発生部によって発生されたタイミング信号に同期したタイミングで駆動されて画像信号を出力する。
【００４５】
レンズ１４と撮像素子５０との間には絞り４８が配置されている。絞りは連続的に変更可能な単一な絞りで構成してもよいし、絞り量が異なる複数の絞りを切り替える構成としてもよい。
【００４６】
タイミング信号発生部５２には、さらにストロボ１８の発光を制御するストロボ制御回路５４も接続されており、ストロボ１８は低照度であることが検出された場合や、ユーザによって発光が指示された場合にタイミング信号発生部５２によって発生されたタイミング信号に同期したタイミングで発光制御される。
【００４７】
撮像素子５０の信号出力端には、サンプリング部５６、Ａ／Ｄ変換器５８、信号処理部６０、メモリ６２、及び圧縮／伸張部６４が順に接続されており、それぞれシステムバス６８に接続され、システムバス６８に接続されたシステム制御部７０によって統括的に制御されるようになっている。
【００４８】
サンプリング部５６では、撮像素子５０から出力された画像信号をタイミング信号発生部５２によって発生されたタイミング信号に同期したタイミングでサンプリングすると共に、増幅してＡ／Ｄ変換器５８へ出力する。サンプリング部５６は、図示しないＣＤＳ（Ｃｏｒｒｅｌａｔｅｄ　Ｄｏｕｂｌｅ　Ｓａｍｐｌｉｎｇ：相関二重サンプリング：以下ＣＤＳという）部を含んで構成されている。ＣＤＳ部は、例えば、ＣＣＤ型の撮像素子を用いて、基本的にその素子により生じる各種のノイズをタイミング信号発生部からのタイミング信号によりクランプするクランプ回路と、タイミング信号によりアナログ電圧信号をホールドするサンプルホールド回路を有する。ＣＤＳ部は、ノイズ成分を除去してアナログの出力信号として画像信号をＡ／Ｄ変換器５８に送る。サンプリング部５６から出力された画像信号は、Ａ／Ｄ変換器５８によってデジタルの画像データに変換されて信号処理部６０へ入力される。信号処理部６０では、入力された画像データに対して色補正・γ補正・Ｙ／Ｃ変換等の各種処理を行う。信号処理部６０から出力された画像データは、ＲＡＭ等で構成されたメモリ６２に一時記録され、圧縮／伸張部６４で圧縮されてから内蔵メモリ８４又はスロット２４に装填されたメモリカード８０に格納されるようになっている。
【００４９】
また、システムバス６８には、ディスプレイ２６も接続され、撮影によって得られる画像データに基づく画像の表示が可能とされている。
【００５０】
さらに、システムバス６８には、上述のＵＳＢ端子４２、携帯端末用端子４４、音声を録音するためのマイク６６、及びレリーズスイッチ２２を含む各種操作スイッチ（メニュースイッチ３０、実行／画面切換スイッチ３２、選択スイッチ３４、キャンセルスイッチ３６、撮影モード切換スイッチ８２等）７４が接続された入出力インターフェース（Ｉ／Ｆ）７６が接続されており、各種操作スイッチ７４の操作に応じた制御がなされるようになっている。
【００５１】
すなわち、レリーズスイッチ２２が操作された等により、内蔵メモリ８４又はスロット２４に装填されたメモリカード８０への画像データの格納が指示された場合、システム制御部７０はメモリ６２に一時記録されている画像データを読み出して圧縮／伸張部６４へ転送する。これにより、画像データは圧縮／伸張部６４で圧縮された後に内蔵メモリ８４又はメモリカード８０に格納される。なお、撮影する際のモードによって画像デーがが圧縮されることなく内蔵メモリ８４又はメモリカード８０に格納される場合もある。
【００５２】
また、内蔵メモリ８４又はスロット２４に装填されたメモリカード８０に格納されている画像データが表す画像の再生（表示）が指示された場合には、内蔵メモリ８４又はスロット２４に装填されたメモリカード８０から画像データが読み出され、読み出された画像データが圧縮／伸張部６４で伸張（解凍）された後、メモリ６２に一時記録される。そして、メモリ６２に一時記録された画像データを用いてディスプレイ２６への画像の表示（再生）が行われる。
【００５３】
ところで、本実施の形態に係わるデジタルカメラ１０に用いられるメモリカード８０は、上述のように画像データが記憶されるが、この他に、図４に示すように、携帯端末９６を介して当該画像データを送信する送信先のアドレス等の送信情報、及び該送信先の要求するファイル形式、画像サイズ等の画像の条件が記憶されるようになっている。なお、図４には、メモリカード８０に設定される設定ファイルの一例を示す。
【００５４】
そして、デジタルカメラ１０は、送信情報に対応するメモリカード８０に記憶された上述の画像の条件に基づいて、画像処理を行うようになっている。すなわち、デジタルカメラ１０には、画像処理部７２が設けられており、該画像処理部７２は、システムバス６８に接続され、メモリカード８０より取得される画像の条件に応じて各種画像処理を行う。例えば、送信先の要求するファイル形式に変換する画像処理、送信先の要求する画像サイズに変換する画像処理、送信先の要求する画像圧縮率に対応する圧縮率に変換する画像処理等の画像処理が行われる。ここで、送信情報の選択や送信する撮影画像の選択は、デジタルカメラ１０に設けられた各種スイッチ７４を操作することによって行うことができる。
【００５５】
なお、メモリカード８０に記憶される送信情報及び画像の条件は、クライアント・コンピュータ９０、ＰＤＡ、携帯端末９６等を用いて、上記ネットワーク７８に接続された送信先のサーバ・コンピュータ８８に接続して、対応する送信情報及び画像の条件を受信することによって、デジタルカメラ１０に装填されたメモリカード８０に送信情報及び画像の条件を予め記憶すること可能である。
【００５６】
続いて、上述のように構成されたデジタルカメラ１０を用いて、サーバ・コンピュータ８８が提供する各種サービスを受ける際の、データの送信の流れについて図５を参照して説明する。
【００５７】
まず、ネットワーク７８に接続されたコンピュータ９０やＰＤＡ端末等を用いて、プリントサービス（画像データを送信することによってプリントを作成するサービス）や壁紙変換サービス（画像データを送信することによってコンピュータ画面に使用する壁紙に該画像データを変換するサービス）等の各種サービスを提供するサーバ・コンピュータ８８に接続し、送信情報としての当該サービスを提供するアドレスを取得すると共に、当該サービスが要求する画像の条件を取得し、メモリカード８０に記憶する（Ｐ１）。
【００５８】
送信情報及び画像の条件が記憶されたメモリカード８０をデジタルカメラ１０に装填し、メモリカード８０に撮影画像を記憶する。すなわち、デジタルカメラ１０で撮影した撮影画像を表す画像データをメモリカード８０に記憶させる（Ｐ２）。
【００５９】
メモリカード８０に記憶された複数の送信情報の中から、サービスを受けようとする送信先に対応する送信情報をデジタルカメラ１０で選択すると共に、送信する画像データを選択する（Ｐ３）。
【００６０】
ここで、デジタルカメラ１０では、選択された送信情報及び画像の条件をメモリカード８０から読み取って、読み取った画像の条件に基づいて、選択された画像データに画像処理を実行する（Ｐ４）。すなわち、送信先（サービス提供元）が要求するファイル形式や画像サイズへの変換がデジタルカメラ１０にて行われる。
【００６１】
そして、送信情報に基づいて、携帯端末９６を用いて画像処理された画像データを送信先に送信する（Ｐ５）。すなわち、サービス提供元が要求する画像の条件に応じて送信する画像データが処理されるので、条件の異なる複数の相手に対する送信を容易に行うことができる。
【００６２】
送信先のサーバ・コンピュータ８８では、送信されてくる画像データに基づいて各種サービスに応じた処理が実行される（Ｐ６）。すなわち、プリントサービスである場合には、送信されてくる画像データに基づくプリント作成が行われ、壁紙変換サービスである場合には、送信されてくる画像データに基づくコンピュータ画面の壁紙に用いるデータにすべく画像処理が行われる。ここで、送信されてくる画像データは、サービス提供元が要求する画像データに変換されているので、各種サービスを受けることができる。
【００６３】
ここで、コンピュータ９０で行われるメモリカードの設定、デジタルカメラ１０で行われるデータ送信、サーバ・コンピュータ８８で行われるサービス提供のそれぞれの処理について説明する。
【００６４】
先ず、図６を参照して、コンピュータ９０で行われるメモリカードの設定の処理について説明する。
【００６５】
ステップ１００では、サービス提供先に接続か否か判定される。すなわち、プリントサービスや壁紙変換サービス等の各種サービスを受けるために、コンピュータ９０を用いて、サービス提供先へ接続しようとしているか否かが判定される。該判定が肯定されるまで待機して、ステップ１０２へ移行する。
【００６６】
ステップ１０２では、サービス提供画面の表示がモニタ等になされる。すなわち、サービスを提供する画面を表すデータをサーバ・コンピュータ８８からネットワーク７８を介して受信し、該データに基づいて表示がなされる。
【００６７】
ステップ１０４では、サービス提供用送信アドレス取得か否か判定される。すなわち、サービスを受けるための送信情報としての送信アドレスを取得したか否か判定される。該判定が肯定されるまで待機して、ステップ１０６へ移行する。
【００６８】
ステップ１０６では、サービス提供のための画像の条件を取得したか否か判定される。すなわち、各種サービス毎に異なる画像の条件を取得したか否か判定される。該判定が肯定されるまで、待機してステップ１０８へ移行する。
【００６９】
ステップ１０８では、上述のように取得した、送信情報及び画像の条件をそれぞれ対応させてメモリカード８０に記憶される。これによって、メモリカード８０の設定を行うことができる。
【００７０】
なお、メモリカード８０の設定は、ネットワーク７８に接続されたコンピュータ９０で行うようにしたが、これに限るものではなく、例えば、ネットワーク７８に接続されたＰＤＡ端末等を用いることもできる。また、デジタルカメラ１０に接続された携帯端末９６を用いることも可能である。
【００７１】
次に、デジタルカメラ１０で行われるデータ送信について図７のフローチャートを参照して説明する。なお、データ送信処理は、本実施の形態では、デジタルカメラ１０と該デジタルカメラ１０に接続された携帯端末９６を用いて行うものとして説明する。
【００７２】
先ず、ステップ１５０では、上述のようにして設定がなされたメモリカード８０がデジタルカメラ１０のスロットに装填されているか否か判定され、該判定が肯定されるまで、待機して、ステップ１５２へ移行する。
【００７３】
ステップ１５２では、データ送信モードか否か判定される。該判定は、デジタルカメラ１０の各種スイッチ７４を操作することによって送信モードを表す操作がなされたか否か判定され、該判定が否定された場合には、データ送信処理を終了する。
【００７４】
ステップ１５２の判定が肯定された場合には、ステップ１５４へ移行して、送信先が選択されたか否か判定される。すなわち、メモリカード８０に設定された送信情報のうち、受けようとするサービスの送信先アドレスが選択されたか否か判定される。該判定が肯定されるまで待機して、ステップ１５６へ移行する。なお、送信先の選択は、メニュースイッチ３０、選択スイッチ３４、実行／画面切換スイッチ３２、キャンセルスイッチ３６等の各種スイッチ７４を用いて行うことが可能である。
【００７５】
ステップ１５６では、送信画像データが選択されたか否か判定される。すなわち、デジタルカメラ１０の撮影によって得られる撮影画像の中から、受けようとするサービス提供元へ送信する画像データの選択がされたか否か判定される。該判定が肯定するまで待機して、ステップ１５８へ移行する。なお、送信画像データの選択は、送信先の選択と同様に、メニュースイッチ３０、選択スイッチ３４、実行／画面切換スイッチ３２、キャンセルスイッチ３６等の各種スイッチ７４を用いて行うことが可能である。
【００７６】
ステップ１５８では、選択された送信情報に対応して記憶された画像の条件をメモリカード８０から読み取って、読み取った画像の条件に従って選択された画像データに対して画像処理が行われる。例えば、メモリカード８０に記憶されたプリントサービスを受ける場合（送信先としてプリントサービスが選択された場合）には、プリントサービスに対応して記憶されたファイル形式（図４の例ではｔｉｆｆ）に変換されると共に、画像サイズが１６０、１２０のサイズに変換される。また、壁紙変換サービスを受ける場合（送信先として壁紙変換サービスが選択された場合）には、壁紙変換サービスに対応して記憶されたファイル形式（図４の例ではｊｐｅｇ）に変換されると共に、画像サイズが１６００、１２００のサイズに変換される。
【００７７】
そして、ステップ１６０では、選択された送信先の送信情報を読み取って、該送信情報に応じて、画像処理された画像データが携帯端末９６を介して送信される。すなわち、送信先を表すアドレス等に応じて、画像処理された画像データが携帯端末９６を介して送信される。これによって、プリントサービスや壁紙変換サービス等の各種サービスを受けることができる。そして、この時、メモリカード８０に予め設定された送信先が制約する画像の条件に自動的に変換することができる。
【００７８】
なお、ステップ１５４は本発明の選択手段に相当し、ステップ１５８は本発明の読取手段及び処理手段に相当し、ステップ１６０は本発明の送信手段に相当する。
【００７９】
続いて、サーバ・コンピュータ８８で行われるサービス提供の処理について図８のフローチャートを参照して説明する。
【００８０】
ステップ２００では、サービス提供画面の取得要求があるか否か判定される。すなわち、上述したように、コンピュータ９０を用いてメモリカード８０の設定を行う際に、サーバ・コンピュータ８８に接続して、サービス提供画面の取得要求がなされたか否か判定される。該判定が肯定された場合には、ステップ２０２へ移行して、サービス提供画面のデータを送信し、ステップ２０４へ移行する。
【００８１】
一方、ステップ２００の判定が否定された場合には、そのままステップ２０４へ移行する。
【００８２】
ステップ２０４では、サービス要求用画像データを受信したか否か判定される。すなわち、上述したように、デジタルカメラ１０からサービス要求用の画像データが送信されてきたか否か判定される。該判定が肯定されるまで待機して、ステップ２０６へ移行する。
【００８３】
ステップ２０６では、各種サービスの実行処理が行われる。すなわち、プリントサービスである場合には、デジタルカメラ１０から送信されてくる画像データに基づいてプリント作成が行われ、壁紙変換サービスでは、デジタルカメラ１０から送信されてくる画像データに基づいて壁紙データの作成が行われる。この時、各種サービスが要求するファイル形式、画像サイズに変換された画像データがデジタルカメラ１０から送信されるので、各種サービスの処理を行うことができる。
【００８４】
このように、本発明の実施の形態に係わるデジタルカメラ１０では、メモリカード８０に、送信先のアドレス等の送信情報と、当該送信情報に対応する送信先の画像の条件を予め設定しておくことによって、自動的に送信先に応じた画像処理を行って、送信することができる。これによって、画像のリサイズやファイル形式変換等の煩わしい処理を自動的にでき、各種サービスを容易に受けることができるようになる。
【００８５】
なお、上記の実施の形態では、メモリカード８０に複数の送信情報と、対応する画像の条件を設定するようにしたが、これに限るものではなく、メモリカード８０毎に単一の送信情報と、対応する画像の条件を設定して、送信先毎に、メモリカード８０を入れ替えるようにしてもよい。
【００８６】
また、上記の実施の形態では、デジタルカメラ１０と携帯端末９６とが別構成とした例を説明したが、これに限るものではなく、例えば、デジタルカメラ１０に携帯端末９６等のような通信機能を設けるようにしてもよい。
【００８７】
【発明の効果】
以上説明したように本発明によれば、送信先を特定する送信情報及び該送信先で処理可能な画像の条件がそれぞれ対応して予め記録された記録媒体から送信情報及び画像の条件を読み取って、該画像の条件に基づいて、画像の条件に適合するように、撮影によって得られる画像データに対して画像処理を行うと共に、送信情報に応じて、画像処理された画像データを送信するので、送信先に応じた画像処理を自動的に行って、画像を送信することができる、という効果がある。
【図面の簡単な説明】
【図１】本発明の実施の形態に係わるデジタルカメラが接続されたネットワークの概略構成が示す図である。
【図２】本発明の実施の形態に係わるデジタルカメラの外観を示す斜視図である。
【図３】本発明の実施の形態に係わるデジタルカメラの電気系の構成を示すブロック図である。
【図４】メモリカードに設定される設定ファイルの一例を示す。
【図５】本発明の実施の形態に係わるデジタルカメラを用いて、サーバ・コンピュータが提供する各種サービスを受ける際の、データの送信の流れを示すブロック図である。
【図６】コンピュータで行われるメモリカード設定の処理の流れを示すフローチャートである。
【図７】デジタルカメラで行われるデータ送信の処理の流れを示すフローチャートである。
【図８】サーバ・コンピュータで行われるサービス提供の処理の流れを示すフローチャートである。
【符号の説明】
１０　　デジタルカメラ
２４　　スロット
７２　　画像処理部
８０　　メモリカード
９６　　携帯端末
【図１】
2004040601.tif 000003
【図２】
2004040601.tif 000004
【図３】
2004040601.tif 000005
【図４】
2004040601.tif 000006
【図５】
2004040601.tif 000007
【図６】
2004040601.tif 000008
【図７】
2004040601.tif 000009
【図８】
2004040601.tif 000010